【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
互いに種類又はサイズの異なる高速回転用第１ロータと低速回転用第２ロータを含む少なくとも２個のロータを選択的に搭載して回転させることができる遠心機であって、
本体と、
該本体に収納された動力発生部と、
該本体に軸受を介して支持され、該動力発生部から回転トルクを該ロータに伝える出力軸と、
該選択された第１ロータと該出力軸とを動力的に接続し、該第１ロータに回転トルクを伝達する第一の軸と、
該選択された第２ロータを支持し、該本体に軸受を介して支持され、該第一の軸と同心配置される中空構造とした第二の軸とを有する遠心機において、
該第二の軸には第２ロータを支持するために該第二の軸の軸方向に移動可能で該第二の軸に対して位置固定可能な支持手段が設けられていることを特徴とする遠心機。
【請求項２】
該第一の軸は弾性軸であり、該第二の軸は高剛性軸であることを特徴とする請求項１記載の遠心機。
【請求項３】
該弾性軸は選択した該第１ロータと嵌合し回転トルクを伝達する第１クラウン部を有し、
該高剛性軸は選択した該第２ロータと嵌合支持し、該軸方向に移動調節可能な第２クラウン部を有することを特徴とする請求項２記載の遠心機。
【請求項４】
該第１クラウン部および第２クラウン部は、それぞれ該弾性軸および該高剛性軸とは別部材であることを特徴とする請求項３記載の遠心機。
【請求項５】
該第１クラウン部は該弾性軸とテーパ嵌合による圧入で結合されることを特徴とする請求項４記載の遠心機。
【請求項６】
該第２クラウンは該高剛性軸にセットスクリュウで固定されることを特徴とする請求項４記載の遠心機。
【請求項７】
該第２ロータには該第１クラウン部を取り囲む嵌合穴が形成され、該第２クラウン部にはテーパ部が形成され、該嵌合穴の開口部は該テーパ部に着座するテーパ面が形成され、該第２クラウン部の該高剛性軸への固定位置は、該第２ロータの嵌合穴の底面と第２クラウン部のテーパ部との距離Ｈと、該第１クラウン部頂面と該第２クラウン部のテーパ部との距離Ｈ’が同一、あるいはＨ’値がＨ値よりわずかに小さい値となるように決定されることを特徴とする請求項６記載の遠心機。
【請求項８】
該高剛性軸は、該出力軸との軸心ずれを吸収するトルク伝達手段を介して該出力軸に結合されていることを特徴とする請求項２記載の遠心機。
【請求項９】
該トルク伝達手段は、該出力軸と該高剛性軸とが略同軸となるように接続することを特徴とする請求項８記載の遠心機。
【請求項１０】
該トルク伝達手段は該高剛性軸と該出力軸の結合部分に介装される弾性部材を有することを特徴とする請求項９記載の遠心機。
【手続補正２】
【補正対象書類名】明細書
【補正対象項目名】００１７
【補正方法】変更
【補正の内容】
【００１７】
上記目的を達成するために、本発明は互いに種類又はサイズの異なる高速回転用第１ロータと低速回転用第２ロータを含む少なくとも２個のロータを選択的に搭載して回転させることができる遠心機であって、本体と、該本体に収納された動力発生部と、該本体に軸受を介して支持され、該動力発生部から回転トルクを該ロータに伝える出力軸と、該選択された第１ロータと該出力軸とを動力的に接続し、該第１ロータに回転トルクを伝達する第一の軸と、該選択された第２ロータを支持し、該本体に軸受を介して支持され、該第一の軸と同心配置される中空構造とした第二の軸とを有する遠心機において、該第二の軸には第２ロータを支持するために該第二の軸の軸方向に移動可能で該第二の軸に対して位置固定可能な支持手段が設けられている遠心機を提供している。
【手続補正３】
【補正対象書類名】明細書
【補正対象項目名】００１８
【補正方法】変更
【補正の内容】
【００１８】
ここで、該第一の軸は弾性軸であり、該第二の軸は高剛性軸である。
また該弾性軸は選択した該第１ロータと嵌合し回転トルクを伝達する第１クラウン部を有し、該高剛性軸は選択した該第２ロータと嵌合支持し、該軸方向に移動調節可能な第２クラウン部を有する構成であるのが望ましい。
【手続補正４】
【補正対象書類名】明細書
【補正対象項目名】００２５
【補正方法】変更
【補正の内容】
【００２５】
請求項１記載の遠心機によれば、第二の軸に軸方向に移動調節可能な第２ロータを支持する支持手段を設けたので、第一の軸のロータ装着位置が所定値とずれていても、支持手段の位置を調整することで、遠心機の駆動部を分解、調節、再組立することなく、簡単に調節可能となる。また、第一の軸に第２ロータによる過度の負荷が作用せず、第一の軸の変形、破壊を防止することができる。
【手続補正５】
【補正対象書類名】明細書
【補正対象項目名】００２６
【補正方法】変更
【補正の内容】
【００２６】
請求項２記載の遠心機によれば、弾性軸や高剛体である剛性軸により、ロータの荷重や回転数に応じて、遠心動作をより最適化できる。また請求項３記載の遠心機によれば、弾性軸は第１ロータと嵌合して回転トルクを伝達する第１クラウン部を有し、高剛性軸には軸方向に移動可能な第２ロータと嵌合する第２クラウン部を有するので、第２ロータを装着した時に第２ロータの荷重を支持するように第２クラウン部を調節可能である。
【手続補正６】
【補正対象書類名】明細書
【補正対象項目名】００２７
【補正方法】変更
【補正の内容】
【００２７】
請求項４、５、６記載の遠心機によれば、第１クラウン部、第２クラウン部はそれぞれ弾性軸、高剛性軸とは別部材として製造され、第１クラウン部と弾性軸はテーパ嵌合による圧入結合などの簡単な方法で結合でき、第２クラウン部は最終的に所定の寸法に調節して高剛性軸にセットスクリュウで固定できるので、第１クラウン部、第２クラウン部一体型の回転軸に比較すると安価に製造でき、ロータ装着寸法も簡単に所定の値に調節できる。
【手続補正７】
【補正対象書類名】明細書
【補正対象項目名】００２８
【補正方法】変更
【補正の内容】
【００２８】
請求項７記載の遠心機によれば、第２クラウン部の高剛性軸への固定位置は第２ロータと第２クラウン部が接触摩擦で共に回転可能となるように調節できるので、第２ロータの荷重が高剛性軸で全面的に支持され、回転時の振動が減少できる。また、第２ロータに形成された嵌合穴底面とテーパ部との距離Ｈはロータ側嵌合穴を形成した時に測定可能であり、しかもほぼ均一の値で製造できるので、第１クラウン部を弾性軸に結合した後に第１クラウン部の頂上面と第２クラウン部のテーパ部との距離Ｈ’を測定して、Ｈ’がＨよりわずかに小さくなるように第２クラウン部のテーパ部を位置調節できるので、製造時の組み付け作業が単純化できる。
【手続補正８】
【補正対象書類名】明細書
【補正対象項目名】００２９
【補正方法】変更
【補正の内容】
【００２９】
請求項８乃至１０記載の遠心機によれば、出力軸に弾性軸を結合させ、同時に出力軸と高剛性軸も軸心ずれ吸収機能を有する回転トルク伝達手段で接続してあるので、第２ロータ装着時、回転トルクは高剛性軸からも伝達可能となる。この構成により高剛性軸上に第２ロータを搭載すると、回転トルクは主として高剛性軸のロータ支持手段との接触摩擦で第２ロータに伝達される。このように、弾性軸のロータ支持部は第２ロータに回転トルクを伝える役割が軽減されるか、あるいは無視できるほど小さくなる。よって高剛性軸を介する回転トルク伝達構造により弾性軸に大きなねじり剛性が加わることがなくなり、弾性軸のねじり破壊や騒音の発生を防止できる。また、高剛性軸と出力軸を接続する回転トルク伝達手段は軸心ずれ吸収機能があるので、出力軸と弾性軸の下端部のテーパ圧入、高剛性軸および出力軸、更にそれぞれの軸受を組み付ける時に発生する軸心のずれを吸収しながら高剛性軸と出力軸を接続できる。